(57)【要約】【課題】風船口部を結ぶことにより確実に閉塞ができ、かつ、反復して使用可能な結束器具を提供すること。【解決手段】結束器具１は円柱素材の頂部に結束部３を設けたものである。結束部３は、平面視で中央部を通る第１の溝３０を形成し、第１の溝３０に隣接して第１の壁面３１と第２の壁面３２を形成する。第２の壁面３２に第１の溝３０に達する第２の溝３３が設けられる。第２の壁面３２には当該壁面に開口し第２の溝３３に向かう第２の凹窪３５を形成している。第１の壁面３１には正面視で右方向に傾斜した開口部を有する第１の凹窪３４を設けている。【選択図】      図１
2004329419.tif 000002
【特許請求の範囲】
【請求項１】
結束器具は円柱素材の頂部に結束部を設けたものであり、該結束部が、平面視で中央部を通る第１の溝（３０）を形成し、該第１の溝に隣接して第１の壁面（３１）と第２の壁面（３２）が形成され、該第２の壁面に上記第１の溝に達する第２の溝（３３）が設けられており、上記第２の壁面（３２）に当該壁面に開口し上記第２の溝に向かう第２の凹窪（３５）が形成されていることを特徴とするゴム風船の口部を閉塞する結束器具。
【請求項２】
第１の壁面（３１）には正面視で右方向に傾斜した開口部を有する第１の凹窪（３４）を設けたことを特徴とする請求項１に記載のゴム風船の口部を閉塞する結束器具。
【請求項３】
第２の壁面（３２）には正面視で上記第２の凹窪（３５）の直下に第３の溝（３６）を形成したことを特徴とする請求項１又は２に記載のゴム風船の口部を閉塞する結束器具。
【発明の詳細な説明】
【０００１】
【発明の属する技術分野】
本発明は、膨らませたゴム風船の口部を簡単な操作で閉塞できる結束器具に関している。
【０００２】
【従来の技術】
ゴム風船は、膨らませた後に口部を結んで閉塞しているが、口部の結束作業は以外に面倒なものである。結束作業は膨らませた後に素早く行わなければならないが、不慣れなために、結束作業に時間を掛けていると、せっかく膨らませた風船が萎んでしまうといった問題が生じる。
【０００３】
【特許文献１】
特開平６−７９０６７号公報
【０００４】
特許文献１の発明は、板状に形成した止め具に風船を差し込む切込みを設けたものであって、膨らませた風船の口部を切込みに強制的に差し込んで閉塞するものであるが、風船の口部は結束していないので、ガス又はエア抜けのおそれがあった。又、特許文献１の発明は、風船ごとに止め具を使用するので使い捨て品となってしまい経済的にも問題があった。
【０００５】
又、ゴム風船の中には、膨らませると細長い筒状になり、口部を結束した後に花や動物などの造形物を作るものが知られているが、この場合は、口部に止め具が残っていては造形物が作りにくいことになる。
【０００６】
【発明が解決しようとする課題】
本発明の課題は、風船口部を結ぶことにより確実に閉塞ができ、かつ、反復して使用可能な結束器具を提供することである。
【０００７】
【課題を解決するための手段】
解決手段は、結束器具が円柱素材の頂部に結束部を設けたものであり、該結束部は、平面視で中央部を通る第１の溝を形成し、該第１の溝に隣接して第１の壁面と第２の壁面が形成され、該第２の壁面に上記第１の溝に達する第２の溝が設けられており、上記第２の壁面に当該壁面に開口し上記第２の溝に向かう第２の凹窪が形成されていることを特徴とする。
他の解決手段は、上記手段において、第１の壁面に正面視で右方向に傾斜した開口部を有する第１の凹窪を設けたことを特徴とする。
さらに他の解決手段は、上記手段において、第２の壁面に正面視で上記第２の凹窪の直下に第３の溝を形成したことを特徴とする。
【０００８】
【発明の実施の形態】
図１は結束器具の斜視図であり、図２は結束器具の正面と背面図であり、図３は平面と断面図である。図４から図１１は結束器具を使用して風船口部を結ぶ手順の説明である。
【０００９】
図１，図２，図３において、結束器具１は、円柱素材から握り部２と、その頂部に結束部３を設けたものであり、全体がプラスチック又は木材等によって形成されている。
【００１０】
上記の結束部３は、円柱素材の頂部に、平面視で中央部を通る第１の溝３０を形成し、当該第１の溝３０に隣接して第１の壁面３１と第２の壁面３２を形成したものである。又、上記第２の壁面３２には、上記第１の溝３０に達する第２の溝３３が設けられており、該第２の溝３３は、第１の溝３０に対し平面視斜状に形成されている。
【００１１】
上記の第１の溝３０の底部は、図２ａに示すように、側面視で中央が高く両側に至るに従って低くなるように傾斜している。又、第２の溝３３の底部は、図３ｂに示すように、平坦である。さらに、第１の溝３０と第２の溝３３の深さは、図３ｂに示すように、第１の溝３０が第２の溝３３よりも深く形成されている。なお、第１の溝３０は、最初に風船口部を挿入するものとなるので、図３ｂに示すように、開口部を広く形成して作業性を良くしている。
【００１２】
上記した第１の壁面３１には、正面視でやや右方向に傾いた円形の第１の凹窪３４が形成され、又、第２の壁面３２には、第２の溝３３に向う円形の第２の凹窪３５が形成されている。
【００１３】
第１の凹窪３４の断面は球形形状を呈しており、底部の最も深い部分が第１の溝３０に達している。又、第２の凹窪３５の断面はカップ形状を呈しており、中心部が第２の溝３３の底部と一致している。又、第２の壁面３２には、正面視で第２の凹窪３５の直下にごく浅い第３の溝３６が形成されている。なお、第２の凹窪３５の深さは、ゴム風船の口部に形成されている口部リングが完全に収容できる深さが必要である。
【００１４】
実施形態の結束器具は、膨らませたゴム風船を結ぶ器具であるから、各部材の角部は滑らかなアール形状として風船生地を損傷しないようにしている。
【００１５】
次に、図４から図１１を参照して、実施形態の結束器具を使用して膨らませたゴム風船の口部を結束する手順を説明する。ゴム風船はどの種類でも良いが、ここでは、膨らませると細長い筒状になるものであって、結束した後に花や動物などの造形物を作るもので説明する。ゴム風船１００は、空気注入口となる口部リング１０１を備えている。
【００１６】
図４において、膨らませたゴム風船１００の膨らんだ部分を第１の凹窪３４に嵌合させ、口部リング１０１を引っ張って口部と風船本体の間に口部チューブ１０２を形成し、該口部チューブ１０２を第１の溝３０に挿入する。口部リング１０１を引っ張る時は、片手で口部リング１０１を掴み、もう一方の手で結束器具１の握り部２を持つ。風船本体の端部が、第１の凹窪３４に嵌合していれば風船自体は器具から外れることはない。
【００１７】
図５において、口部チューブ１０２を第１の溝３０に挿入した状態で口部リング１０１を引っ張って形成した当該口部チューブ１０２は、握り部２を時計方向に回転して、口部リング１０１を風船本体と対峙する位置まで回転する。
【００１８】
図６において、口部チューブ１０２が風船本体に達したら、当該口部チューブ１０２を風船本体に繋がる口部チューブ１０２と交差させて上方に引き上げる。
【００１９】
図７において、上向きに伸びている口部チューブ１０２を第２の溝３３に挿入する。図５から図７までの作業は、口部リング１０１を開放してしまうと風船のエア漏れが生じるので、図４に示すように、口部リング１０１を指で摘んで作業をする。
【００２０】
図８において、口部リング１０１は第２の凹窪３５に嵌合され、口部チューブ１０２は第２の溝３３を通って結束部３の周囲を一周している。口部チューブ１０２は風船を膨らませた後に引っ張って形成されたものであるから、この位置になれば手を離してもエア漏れはない。
【００２１】
図９において、風船本体を引っ張り上げると、第３の溝３６に嵌合していた口部チューブ１０２が、当該第３の溝３６から外れて引き上げられる。
【００２２】
図１０において、風船本体を、さらに引っ張り続けると、口部チューブ１０２は、第２の凹窪３５内に嵌合している口部リング１０１を乗り越えて行き、口部チューブ１０２が結ばれる。
【００２３】
図１１において、口部チューブ１０２が、結束部３から外れると、当該口部チューブ１０２に結び目１０３が形成されゴム風船の閉塞がなされる。口部チューブ１０２は、結束作業のために引っ張って形成したものであるから、結束部３から外れると元の長さに復元するので、風船本体を素早く引き上げれば結び目１０３が短時間で形成されエア漏れのおそれはない。
【００２４】
【発明の効果】
本発明は、ゴム風船の口部を簡単に結束できる効果を有すると共に、繰り返して使用できるので経済的にも優れているものである。
【図面の簡単な説明】
【図１】結束器具を示しており、ａは正面方向から見た斜視図、ｂは背面方向から見た斜視図。
【図２】結束器具を示しており、（ａ）は正面図、（ｂ）は背面図。
【図３】結束器具を示しており、（ａ）は平面図、（ｂ）は図３ａのｂ−ｂ断面図。
【図４】ゴム風船の結束作業の開始時を示しており、口部リングを引っ張って口部チューブを第１の溝に挿入した図。
【図５】口部チューブを第３の溝に沿って巻きつけた図。
【図６】口部チューブを第３の溝に沿って巻きつけたまま上方に引き上げた図。
【図７】口部チューブを第２の溝に挿入した図。
【図８】口部リングを第２の凹窪に嵌合した図。
【図９】風船本体の引き上げ開始時の図。
【図１０】風船本体を引っ張って口部チューブを結束器具から外す図。
【図１１】ゴム風船の結束作業の終了時を示しており、風船本体が結束器具から外れ口部チューブが結ばれた図。
【符号の説明】
１  結束器具
２  握り部
３  結束部
３０  第１の溝
３１  第１の壁面
３２  第２の壁面
３３  第２の溝
３４  第１の凹窪
３５  第２の凹窪
３６  第３の溝
１００  ゴム風船
１０１  口部リング
１０２  口部チューブ
１０３  結び目
【図１】
2004329419.tif 000003
【図２】
2004329419.tif 000004
【図３】
2004329419.tif 000005
【図４】
2004329419.tif 000006
【図５】
2004329419.tif 000007
【図６】
2004329419.tif 000008
【図７】
2004329419.tif 000009
【図８】
2004329419.tif 000010
【図９】
2004329419.tif 000011
【図１０】
2004329419.tif 000012
【図１１】
2004329419.tif 000013